(57)【要約】【課題】窓部が設けられた洗面室において、その窓部に遮蔽部材を設けなくても、窓部を通じた屋外からの視線を遮ることができる建物を提供する。【解決手段】建物において、洗面室１１は、外壁部２５により屋外と仕切られており、その外壁部２５には、屋外に開放された窓部２６が設けられている。洗面室１１には、窓部２６の付近に収納棚３２が設けられている。収納棚３２は、開閉可能な収納扉３２ｂを有している。収納扉３２ｂは、その開状態において窓部２６全域を覆う遮蔽位置に配置可能とされている。【選択図】図３
2020012260.tif 000002
【特許請求の範囲】
【請求項１】
外壁部により屋外と仕切られた洗面室を備える建物であって、
前記外壁部には、前記洗面室を屋外に開放する窓部が設けられ、
前記洗面室には、前記窓部の付近に物品を収納可能な収納部が設けられ、
前記収納部は、開閉可能な収納扉を有しており、
前記収納扉は、その開状態において前記窓部の全域を覆う遮蔽位置に配置可能とされていることを特徴とする建物。
【請求項２】
前記収納扉の裏面には姿見鏡が取り付けられており、
前記収納扉が前記遮蔽位置に配置されると、前記姿見鏡が前記窓部とは反対側を向けて配置されることを特徴とする請求項１に記載の建物。
【請求項３】
前記収納扉が前記遮蔽位置から閉側へ動作するのを規制する規制手段を備えることを特徴とする請求項１又は２に記載の建物。
【請求項４】
前記収納扉を前記遮蔽位置にて保持する保持手段を備え、
前記遮蔽位置では、前記収納扉が前記外壁部から屋内側に離間して配置されることを特徴とする請求項１乃至３のいずれか一項に記載の建物。
【請求項５】
外壁部により屋外と仕切られた洗面室を備える建物であって、
前記外壁部には、前記洗面室を屋外に開放する窓部が設けられ、
前記洗面室には、前記窓部の付近に物品を収納可能な収納部が設けられ、
前記収納部は、開閉可能な収納扉を有しており、
前記収納扉は、その開状態において前記窓部を覆う遮蔽位置に配置可能とされ、
前記洗面室に人がいるか否かを判定する判定手段と、
前記収納扉を開閉駆動する扉駆動部と、
前記判定手段により前記洗面室に人がいると判定された場合に前記収納扉を前記遮蔽位置に移動させるよう前記扉駆動部を駆動制御する制御手段と、
を備えることを特徴とする建物。
【請求項６】
前記洗面室が利用される時間帯が予め利用時間帯として定められており、
前記制御手段は、前記判定手段により前記洗面室に人がいると判定され、かつ、今現在が前記利用時間帯である場合に、前記収納扉を前記遮蔽位置に移動させるよう前記扉駆動部を駆動制御することを特徴とする請求項５に記載の建物。
【発明の詳細な説明】
【技術分野】
【０００１】
本発明は、洗面室を備える建物に関する。
【背景技術】
【０００２】
一般に、住宅等の建物には、洗面台が設置された洗面室が設けられている（例えば特許文献１参照）。洗面室は、例えば、朝の時間帯においては化粧やヘアメイク等を行う身支度スペースとして用いられ、夜の時間帯においては入浴する際の脱衣スペースとして用いられる。
【０００３】
洗面室には屋外に開口する窓部が設けられていることがある。この場合、その窓部を通じて洗面室への採光や通風を行うことが可能となる。
【先行技術文献】
【特許文献】
【０００４】
【特許文献１】特開２０１５−２００１２０号公報
【発明の概要】
【発明が解決しようとする課題】
【０００５】
ところで、洗面室に窓部が設けられている場合、洗面室の利用中に、窓部を通じて屋外から洗面室を覗かれてしまうことが懸念される。そこで、窓部に対してシャッタカーテン等の遮蔽部材を設け、それにより屋外からの視線を遮ることが考えられる。
【０００６】
しかしながら、遮蔽部材を窓部に設けるとなると、それに伴い設置費用がかかるといった問題が生じうる。
【０００７】
本発明は、上記事情に鑑みてなされたものであり、窓部が設けられた洗面室において、その窓部に遮蔽部材を設けなくても、窓部を通じた屋外からの視線を遮ることができる建物を提供することを主たる目的とするものである。
【課題を解決するための手段】
【０００８】
上記課題を解決すべく、第１の発明の建物は、外壁部により屋外と仕切られた洗面室を備える建物であって、前記外壁部には、前記洗面室を屋外に開放する窓部が設けられ、前記洗面室には、前記窓部の付近に物品を収納可能な収納部が設けられ、前記収納部は、開閉可能な収納扉を有しており、前記収納扉は、その開状態において前記窓部の全域を覆う遮蔽位置に配置可能とされていることを特徴とする。
【０００９】
本発明によれば、洗面室において窓部の付近に物品を収納可能な収納部が設けられている。また、収納部の収納扉は、その開状態において窓部の全域を覆う遮蔽位置に配置可能とされている。これにより、窓部にシャッタカーテン等の遮蔽部材を設けなくても、収納扉を遮蔽位置に配置することで、洗面室において窓部を通じた屋外からの視線を遮ることができる。
【００１０】
第２の発明の建物は、第１の発明において、前記収納扉の裏面には姿見鏡が取り付けられており、前記収納扉が前記遮蔽位置に配置されると、前記姿見鏡が前記窓部とは反対側を向けて配置されることを特徴とする。
【００１１】
本発明によれば、収納扉の裏面に姿見鏡が取り付けられており、収納扉が遮蔽位置に配置されると、姿見鏡が窓部とは反対側を向けて配置される。これにより、収納扉を遮蔽位置に配置することで、姿見鏡で全身を見ながら身支度を行うことも可能となる。
【００１２】
第３の発明の建物は、第１又は第２の発明において、前記収納扉が前記遮蔽位置から閉側へ動作するのを規制する規制手段を備えることを特徴とする。
【００１３】
本発明によれば、収納扉が遮蔽位置にある場合に、収納扉が閉側へ動作するのを規制することができる。これにより、不審者等が窓部を通じて屋外から洗面室に侵入するのを防止できるため、屋外からの視線を遮りながら、防犯性の向上を図ることができる。
【００１４】
第４の発明の建物は、第１乃至第３のいずれかの発明において、前記収納扉を前記遮蔽位置にて保持する保持手段を備え、前記遮蔽位置では、前記収納扉が前記外壁部から屋内側に離間して配置されることを特徴とする。
【００１５】
本発明によれば、保持手段により収納扉が遮蔽位置にて保持され、この保持状態では、収納扉が外壁部から屋内側に離間して配置される。これにより、収納扉が遮蔽位置にある場合において、収納扉と外壁部との間を通じて通気が可能となり、ひいては窓部を通じた洗面室内の通気が可能となる。そのため、収納扉により屋外からの視線を遮りながら、洗面室内の通気を行うことが可能となる。
【００１６】
第５の発明の建物は、外壁部により屋外と仕切られた洗面室を備える建物であって、前記外壁部には、前記洗面室を屋外に開放する窓部が設けられ、前記洗面室には、前記窓部の付近に物品を収納可能な収納部が設けられ、前記収納部は、開閉可能な収納扉を有しており、前記収納扉は、その開状態において前記窓部を覆う遮蔽位置に配置可能とされ、前記洗面室に人がいるか否かを判定する判定手段と、前記収納扉を開閉駆動する扉駆動部と、前記判定手段により前記洗面室に人がいると判定された場合に前記収納扉を前記遮蔽位置に移動させるよう前記扉駆動部を駆動制御する制御手段と、備えることを特徴とする。
【００１７】
本発明によれば、洗面室に人がいる場合には収納扉が自動で遮蔽位置に移動される。これにより、人が洗面室を利用するのに合わせて窓部を収納扉により遮蔽することができるため、洗面室の利用時に屋外からの視線を遮るにあたり好適な構成とすることができる。
【００１８】
第６の発明の建物は、第５の発明において、前記洗面室が利用される時間帯が予め利用時間帯として定められており、前記制御手段は、前記判定手段により前記洗面室に人がいると判定され、かつ、今現在が前記利用時間帯である場合に、前記収納扉を前記遮蔽位置に移動させるよう前記扉駆動部を駆動制御することを特徴とする。
【００１９】
洗面室は、例えば朝の時間帯においてはメイク等の身支度を行う身支度スペースとして利用され、夜の時間帯においては入浴の際の脱衣スペースとして利用される。つまり、洗面室が身支度等のために利用される時間帯はある程度決まっている。そこで本発明では、洗面室に人がいる場合であって、かつ今現在が所定の利用時間帯である場合に、収納扉を遮蔽位置に移動させるようにしている。これにより、人が身支度等のために利用するのに合わせて窓部を遮蔽することができるため、人が身支度等を行うに際し屋外からの視線を遮る上で好適な構成とすることができる。なお、利用時間帯としては、朝時間帯や夜時間帯が考えられる。
【図面の簡単な説明】
【００２０】
【図１】洗面室及びその周辺を示す平面図。
【図２】洗面室の内部を示す斜視図。
【図３】窓部周辺を示す平面図であり、（ａ）が収納扉の閉状態を示し、（ｂ）が収納扉の開状態を示す。
【図４】収納扉制御システムの電気的構成を示す図。
【図５】収納扉制御処理を示すフローチャート。
【図６】他の実施形態における洗面室の内部を示す斜視図。
【発明を実施するための形態】
【００２１】
以下に、本発明を具体化した一実施の形態について図面を参照しつつ説明する。なお、図１は洗面室及びその周辺を示す平面図である。図２は洗面室の内部を示す斜視図である。
【００２２】
図１に示すように、住宅等の建物１０には、洗面室１１と、その洗面室１１に隣接する浴室１２及び廊下１３とが設けられている。洗面室１１は、浴室１２と間仕切壁１５により仕切られている。間仕切壁１５には、洗面室１１から浴室１２へ出入りするための出入口１６が設けられ、その出入口１６には折り戸からなる開閉戸１７が設けられている。
【００２３】
洗面室１１は、廊下１３と間仕切壁１８により仕切られている。この間仕切壁１８は、間仕切壁１５と直交して配置されている。間仕切壁１８には、廊下１３から洗面室１１へ出入りするための出入口２１が設けられ、その出入口２１には引き戸からなる開閉戸２２が設けられている。
【００２４】
洗面室１１は、外壁部２５により屋外と仕切られている。外壁部２５は、互いに直角をなして配置された一対の壁部２５ａ，２５ｂを有している。これら壁部２５ａ，２５ｂのうち、壁部２５ａが洗面室１１を挟んで間仕切壁１８と対向配置され、壁部２５ｂが洗面室１１を挟んで間仕切壁１５と対向配置されている。
【００２５】
図１に加え図２に示すように、壁部２５ｂには、洗面室１１を屋外に開放させる窓部２６が設けられている。この窓部２６には、当該窓部２６を開閉する窓戸２７が設けられている。窓戸２７は、上下に並べられた複数のルーバ２７ａ（横長の板ガラス）を有するルーバ窓からなる。但し、窓戸２７は、内倒し窓等、ルーバ窓以外の窓戸により構成されていてもよい。
【００２６】
洗面室１１には、壁部２５ａの壁際に、洗面台３１と収納棚３２と洗濯機３３とが並んで設けられている。これら洗面台３１、収納棚３２及び洗濯機３３のうち、洗面台３１が中央に配置され、その洗面台３１を挟んだ両側に収納棚３２及び洗濯機３３が配置されている。収納棚３２及び洗濯機３３のうち、収納棚３２は、洗面室１１において各壁部２５ａ，２５ｂの間の隅部に配置され、洗濯機３３は、壁部２５ａと間仕切壁１５との間の隅部に配置されている。
【００２７】
収納棚３２は、窓部２６の付近に配置されている。収納棚３２は、壁部２５ｂの壁幅方向（換言すると窓部２６の幅方向）において、窓部２６よりも壁部２５ａ側に配置され、詳しくはその全体が窓部２６よりも壁部２５ａ側に位置するよう配置されている。また、収納棚３２は、洗面室１１において床部１１ａ上に設置され、上下に延びる縦長の棚とされている。詳しくは、収納棚３２は、洗面室１１における床部１１ａから天井部１１ｂ付近に亘る高さ寸法を有している。
【００２８】
収納棚３２は、物品を収納可能な本体部３２ａと、その本体部３２ａに開閉可能に設けられた収納扉３２ｂとを有する。収納扉３２ｂは、横開き式の開き戸とされている。すなわち、収納扉３２ｂは、上下に延びる回動軸３２ｃを中心として回動可能とされ、その回動により開閉されるようになっている。なお、収納棚３２が「収納部」に相当する。
【００２９】
洗面室１１には、間仕切壁１８の壁際に収納棚３５が設けられている。この収納棚３５は、上記収納棚３２と異なり、収納扉を有していない。そのため、収納棚３５は、洗面室１１に向けて開放された開放棚となっている。なお、洗面室１１では、この収納棚３５と洗面台３１及び収納棚３２との間に通路スペースが形成されており、その通路スペースの幅（窓部２６の幅方向における長さ）が洗面台３１の幅よりも小さくなっている。
【００３０】
ここで、本実施形態では、収納棚３２の収納扉３２ｂが開状態とされることで、その収納扉３２ｂにより窓部２６全域を覆うことが可能となっている。そして、これにより、洗面室１１にて窓部２６を通じた屋外からの視線を遮ることが可能となっている。そこで、以下においては、その点に関する構成について図３を用いながら説明する。図３は、窓部２６周辺を示す平面図であり、（ａ）が収納棚３２の収納扉３２ｂの閉状態を示し、（ｂ）が収納扉３２ｂの開状態を示す。
【００３１】
図３（ａ）に示すように、収納扉３２ｂは、その閉状態においては、その幅方向が壁部２５ｂの壁幅方向（換言すると窓部２６の幅方向）と直交する向きで配置されている。この場合、収納扉３２ｂは、その回動軸３２ｃが幅方向における壁部２５ｂ側に位置している。なお、以下においては、閉状態における収納扉３２ｂの位置を「閉位置」ともいう。
【００３２】
図３（ｂ）に示すように、収納扉３２ｂは、閉位置から９０°開側に回動されると、壁部２５ｂと重なるようにして配置される。この場合、収納扉３２ｂは、その幅方向が壁部２５ｂの壁幅方向（窓部２６の幅方向）と同方向とされ、窓部２６の全域を覆うように配置される。これにより、窓部２６を通じた屋外からの視線を遮ることが可能となる。なお、以下では、この場合における収納扉３２ｂの位置を「遮蔽位置」という。また、図２では、収納扉３２ｂが遮蔽位置にある状態が示されている。
【００３３】
壁部２５ｂには、収納扉３２ｂを遮蔽位置にて保持する保持部３８が設けられている。保持部３８は、壁部２５ｂにおいて収納扉３２ｂの回動先端側付近に設けられている。保持部３８は、例えばＬ字状に屈曲された棒材よりなり、壁部２５ｂから屋内側（洗面室１１内部側）に延びる軸部３８ａと、その軸部３８ａと直交する方向に延びる係合部３８ｂとを有する。
【００３４】
係合部３８ｂは、収納扉３２ｂの回動先端部（詳しくは回動先端面）に設けられた被係合部３９に係合可能とされている。被係合部３９は、溝部を有するコ字状の金物からなり、その溝部を上記回動先端部とは反対側に開放させた状態で当該回動先端部に取り付けられている。また、この取付状態において、被係合部３９における溝部を挟んだ両側面は収納扉３２ｂの厚み方向に対向している。
【００３５】
保持部３８は、その軸部３８ａを回動中心として壁部２５ｂに回動可能に設けられている。保持部３８は、その回動により、係合部３８ｂが被係合部３９に係合される係合位置（図３（ｂ）参照）と、その係合が解除される係合解除位置（図３（ａ）参照）との間で変位可能とされている。
【００３６】
収納扉３２ｂが遮蔽位置にある場合において、保持部３８が係合位置に配置されると、係合部３８ｂは被係合部３９の溝部内に入った状態で当該被係合部３９に係合される。この場合、かかる係合によって、収納扉３２ｂが遮蔽位置から閉側及び開側（壁部２５ｂ側）のいずれの側へ動作するのも規制（禁止）される。そのため、かかる規制により、収納扉３２ｂが遮蔽位置において保持される。したがって、この場合、保持部３８は、収納扉３２ｂを遮蔽位置にて保持する保持状態とされる。
【００３７】
一方、収納扉３２ｂが遮蔽位置にある場合において、保持部３８が係合解除位置に配置されると、係合部３８ｂが被係合部３９の溝部内から外れる。この場合、収納扉３２ｂが遮蔽位置から閉側及び開側のいずれの側へ動作するのも許容される。そのため、保持部３８は、収納扉３２ｂの保持を解除する保持解除状態とされる。なお、保持部３８が保持手段及び規制手段に相当する。
【００３８】
収納扉３２ｂが保持部３８により遮蔽位置にて保持されている状態では、収納扉３２ｂが壁部２５ｂの厚み方向において当該壁部２５ｂから屋内側（洗面室１１側）に離間して配置される。この場合、収納扉３２ｂと壁部２５ｂとの間には通気用の隙間３７が形成される。
【００３９】
収納扉３２ｂの裏面には、姿見鏡４１が取り付けられている。姿見鏡４１は、収納扉３２ｂの上下方向に沿って延びる縦長の鏡であり、人の全身を映すことが可能となっている。収納扉３２ｂが遮蔽位置に配置された状態では、姿見鏡４１が窓部２６（換言すると壁部２５ｂ）とは反対側を向けて配置される（図３（ｂ）参照）。つまり、この場合、姿見鏡４１が壁部２５ｂ付近にて洗面室１１の内部側を向けて配置される。
【００４０】
上述した本実施形態の構成によれば、以下の優れた効果が得られる。
【００４１】
洗面室１１において窓部２６の付近に収納棚３２を設け、その収納棚３２の収納扉３２ｂをその開状態において窓部２６の全域を覆う遮蔽位置に配置可能とした。これにより、窓部２６にシャッタカーテン等の遮蔽部材を設けなくても、収納扉３２ｂを遮蔽位置に配置することで、洗面室１１において窓部２６を通じた屋外からの視線を遮ることができる。
【００４２】
収納扉３２ｂの裏面に姿見鏡４１を取り付け、収納扉３２ｂが遮蔽位置に配置されると、姿見鏡４１が窓部２６とは反対側を向けて配置されるようにした。これにより、収納扉３２ｂを遮蔽位置にすることで、姿見鏡４１で全身を見ながら身支度（メイクや衣服のコーディネート等）を行うことが可能となる。
【００４３】
また、洗面室１１は一般に狭小空間とされているため、洗面室１１の床部１１ａ上に姿見鏡を別途設置すると、洗面室１１がますます狭くなり移動が困難になる等の不都合が生じるおそれがある。その点、収納扉３２ｂに姿見鏡４１を取り付けたことで、かかる不都合を回避しながら、洗面室１１にて姿見鏡４１を利用することが可能となる。
【００４４】
収納扉３２ｂを遮蔽位置にて保持する保持部３８を設け、その保持状態では、収納扉３２ｂが壁部２５ｂから屋内側に離間配置されるようにした。これにより、収納扉３２ｂが遮蔽位置にある場合において、収納扉３２ｂと壁部２５ｂとの間の隙間３７を通じて通気が可能となり、ひいては窓部２６を通じた洗面室１１内の通気が可能となる。そのため、収納扉３２ｂにより屋外からの視線を遮りながら、洗面室１１内の通気を行うことが可能となる。
【００４５】
また、保持部３８による収納扉３２ｂの保持状態では、収納扉３２ｂが閉側へ動作することが規制されるため、不審者等が窓部２６を通じて屋外から洗面室１１に侵入するのを防止できる。このため、屋外からの視線を遮りながら、防犯性の向上を図ることもできる。
【００４６】
ここで、本実施形態では、洗面室１１に人がいる場合に、収納棚３２の収納扉３２ｂを自動で遮蔽位置に移動させる収納扉制御システムが設けられている。そこで、以下では、その収納扉制御システムについて図１及び図３に加え図４を用いながら説明する。図４は、収納扉制御システムの電気的構成を示す図である。
【００４７】
図１に示すように、洗面室１１には、出入口２１より洗面室１１に出入りする人を撮影するカメラ４２が設けられている。カメラ４２は、例えば壁部２５ａにおける出入口２１の正面に設けられている。また、このカメラ４２は、出入口２１より洗面室１１に入る人の顔を撮影することも可能となっている。
【００４８】
図３（ａ）及び（ｂ）に示すように、収納棚３２には、収納扉３２ｂを開閉駆動する扉用駆動部４３（扉駆動部に相当）が設けられている。扉用駆動部４３は、例えば電動モータからなる。この扉用駆動部４３により、収納扉３２ｂを閉位置（図３（ａ）参照）と遮蔽位置（図３（ｂ）参照）との間で動作させることが可能となっている。
【００４９】
壁部２５ｂには、保持部３８を回動駆動する保持部用駆動部４４が設けられている。保持部用駆動部４４は、例えば電動モータからなる。この保持部用駆動部４４により、保持部３８を、収納扉３２ｂを遮蔽位置にて保持する保持状態（図３（ｂ）参照）と、その保持を解除する保持解除状態（図３（ａ）参照）とに移行させることが可能となっている。
【００５０】
図４に示すように、洗面室１１には、制御手段としてのコントローラ４５が設けられている。コントローラ４５は、ＣＰＵ等を有する周知のマイクロコンピュータを備えて構成されている。コントローラ４５には、カメラ４２が接続されている。コントローラ４５には、カメラ４２より逐次撮影画像が入力される。コントローラ４５は、カメラ４２より入力される撮影画像を基に、洗面室１１への人の出入りを確認し、その確認結果を基に洗面室１１に人がいるか否かを判定する。
【００５１】
上述したように、洗面室１１に入る人についてはカメラ４２により当該人の顔画像が撮影される。コントローラ４５は、カメラ４２より入力される撮影画像に顔画像が含まれている場合、その顔画像を基に、当該人が誰であるかを特定する特定処理を行う。コントローラ４５は、建物１０における各居住者の顔画像を予め記憶する記憶部４５ａを有している。コントローラ４５は、カメラ４２から入力された人の顔画像と、記憶部４５ａに記憶されている各居住者の顔画像とを対比することで、当該人が誰であるかを特定する。
【００５２】
コントローラ４５には、扉用駆動部４３と保持部用駆動部４４とが接続されている。コントローラ４５は、洗面室１１に人がいるか否かの判定結果等に基づいて、それら各駆動部４３，４４を駆動制御する。
【００５３】
続いて、コントローラ４５により実行される収納扉制御処理について図５に示すフローチャートを用いて説明する。なお、本処理は所定の周期で繰り返し実行される。
【００５４】
図５に示すように、まずステップＳ１１では、カメラ４２から入力される撮影画像に基づいて、洗面室１１に人（居住者）がいるか否かを判定する（判定手段に相当）。洗面室１１に人がいる場合、ステップＳ１２に進み、今現在が朝時間帯（例えば６：００〜９：００）であるか否かを判定する。今現在が朝時間帯である場合、ステップＳ１６に進んで、洗面室１１にいる人が誰であるかを特定する特定処理を行う。この特定処理では、カメラ４２からの撮影画像に含まれる当該人の顔画像に基づき、当該人の特定を行う。
【００５５】
続くステップＳ１７では、特定処理により特定された人が女性であるか否かを判定する。つまり、本ステップでは、洗面室１１にいる人が女性であるか否かを判定する。女性は、朝の時間帯において、洗面室１１で化粧やヘアメイク等の身支度を行うことが考えられる。そこで、本ステップにて、洗面室１１にいる人が女性（例えば母親や娘）であると判定された場合には、ステップＳ１４に進んで、収納扉３２ｂを遮蔽位置に移動させる処理を行う。この処理では、扉用駆動部４３に遮蔽信号を出力することで、扉用駆動部４３により収納扉３２ｂを遮蔽位置に移動させる。これにより、朝の時間帯に女性が洗面室１１を利用する際には収納扉３２ｂにより窓部２６全域が覆われることになる。
【００５６】
続くステップＳ１５では、保持部３８を、収納扉３２ｂを遮蔽位置にて保持する保持状態（図３（ｂ）参照）へと移行させる処理を行う。この処理では、保持部用駆動部４４に保持信号を出力することで、保持部用駆動部４４により保持部３８を保持状態に移行させる。その後、本処理を終了する。
【００５７】
なお、先のステップＳ１７で、洗面室１１にいる人が男性（例えば父親）であると判定された場合には、本処理を終了する。
【００５８】
上述したステップＳ１２において、今現在が朝時間帯でないと判定された場合、ステップＳ１３に進み、今現在が夜時間帯（例えば１９：００〜２４：００）であるか否かを判定する。夜の時間帯では、浴室１２で入浴する際に、洗面室１１を脱衣スペースとして利用することが考えられる。そこで、本ステップにて、今現在が夜時間帯であると判定された場合には、収納扉３２ｂを遮蔽位置に移動させる処理（ステップＳ１４）を行うとともに、保持部３８を保持状態に移行させる処理（ステップＳ１５）を行う。これにより、夜の時間帯に人（居住者）が洗面室１１を利用する際には収納扉３２ｂにより窓部２６全域が覆われることになる。その後、本処理を終了する。一方、今現在が夜時間帯でない場合、つまり今現在が朝時間帯でもなく夜時間帯でもない場合には、ステップＳ１４及びＳ１５の処理を行うことなく、本処理を終了する。
【００５９】
上述したステップＳ１１において、洗面室１１に人がいない場合には、例えば人が洗面室１１の外に出た場合にはステップＳ１８に進み、保持部３８を保持解除状態に移行させる処理を行う。この処理では、保持部用駆動部４４に保持解除信号を出力することで、保持部用駆動部４４により保持部３８を保持解除状態に移行させる。
【００６０】
続くステップＳ１９では、収納扉３２ｂを閉位置に移動させる処理を行う。この処理では、扉用駆動部４３に閉信号を出力することで、扉用駆動部４３により収納扉３２ｂを閉位置に移動させる。これにより、洗面室１１に人がいない場合には、収納扉３２ｂが閉状態とされる。その後、本処理を終了する。
【００６１】
以上、詳述した本実施形態の収納扉制御システムによれば、以下の優れた効果が得られる。
【００６２】
洗面室１１に人がいる場合に扉用駆動部４３により収納扉３２ｂを自動で遮蔽位置に移動させるようにした。これにより、人が洗面室１１を利用するのに合わせて窓部２６を収納扉３２ｂにより遮蔽することができるため、洗面室１１の利用時に屋外からの視線を遮るにあたり好適な構成とすることができる。
【００６３】
洗面室１１に人がいる場合であって、かつ、今現在が夜時間帯（利用時間帯に相当）である場合に、収納扉３２ｂを遮蔽位置に移動させるようにした。これにより、人が夜の時間帯に洗面室１１を入浴の際の脱衣スペースとして利用するのに合わせて窓部２６を遮蔽することができるため、脱衣時に窓部２６を通じた屋外からの視線を遮ることができる。特に夜間においては、屋外から洗面室１１が見易くなるため、かかる構成は有効となる。
【００６４】
洗面室１１に人がいる場合であって、かつ、今現在が朝時間帯（利用時間帯に相当）である場合には、その洗面室１１にいる人が女性であるときに、収納扉３２ｂを遮蔽位置に移動させるようにした。これにより、女性が朝の時間帯に洗面室１１を身支度（例えば化粧やヘアメイク等）のために利用するのに合わせて窓部２６を遮蔽することができるため、女性が身支度を行う際に窓部２６を通じて屋外から覗かれるのを好適に防止できる。また、収納扉３２ｂが遮蔽位置に配置されることで姿見鏡４１が窓部２６とは反対側（洗面室１１内部側）を向けて配置されるため、女性が姿見鏡４１を利用可能な状態に自ずと移行される。これにより、女性が朝の身支度に際し、姿見鏡４１を利用する上でも好都合な構成となる。
【００６５】
本発明は上記実施形態に限らず、例えば次のように実施されてもよい。
【００６６】
（１）洗面室１１に人がいると判定された場合に収納扉３２ｂを扉用駆動部４３により遮蔽位置に移動させる制御を行うにあたって、例えば以下の（ａ）〜（ｃ）のような制御を行ってもよい。
【００６７】
（ａ）屋外の照度を取得する屋外照度取得手段を設け、洗面室１１に人がいると判定され、かつ取得手段により取得された屋外の照度が所定照度以下となった場合に、収納扉３２ｂを遮蔽位置に移動させる処理を行うようにしてもよい。この場合、屋外が暗く屋外から洗面室１１内が見易くなっている場合には、収納扉３２ｂにより窓部２６が遮蔽されるため、洗面室１１内を覗かれてしまうのを好適に防止できる。
【００６８】
なお、屋外の照度を取得するにあたっては、例えば今現在の日時を取得し、その取得した日時に基づいて屋外の照度を推定することが考えられる。また、天候情報を取得し、その取得した天候情報を基に屋外の照度を推定するようにしてもよい。
【００６９】
（ｂ）洗面室１１に人がいると判定された場合に、その人があらかじめ登録された登録者であるか否かを判定し、登録者と判定された場合に、収納扉３２ｂを遮蔽位置に移動させる処理を行うようにしてもよい。この場合、洗面室１１を化粧やヘアメイク等の身支度を行うために利用する母親や娘等を登録者として登録しておくことが考えられる。そうすれば、母親等が洗面室１１を身支度のために利用するのに合わせて窓部２６を遮蔽することができる。
【００７０】
（ｃ）洗面室１１に人がいると判定された場合に、その人が洗面室１１に滞在する滞在時間を測定する手段を設け、その測定された滞在時間が所定時間を超えた場合に収納扉３２ｂを遮蔽位置に移動させる処理を行うようにしてもよい。人が洗面室１１で身支度や脱衣を行う等、洗面室１１を所定の目的で利用する際には、洗面室１１に一定時間滞在することになる。このため、上記の構成とすれば、洗面室１１を所定の目的で利用するのに合わせて窓部２６を遮蔽することができる。
【００７１】
（２）コントローラ４５が、収納扉３２ｂを遮蔽位置に移動させる際の制御モードとして、上記（１）における（ａ）の制御を行うための第１モード（照度モード）と、（ｂ）の制御を行うための第２モード（個人モード）と、（ｃ）の制御を行うための第３モード（入浴／身支度モード）とをそれぞれ有する構成としてもよい。そして、ユーザによる操作部に対するモード選択操作に基づき、コントローラ４５が、制御モードを第１〜第３モードのうちいずれかに切り替えるようにしてもよい。そうすれば、家族形態や生活習慣などに応じて、収納扉３２ｂによる遮蔽制御を行うことが可能となる。
【００７２】
（３）ユーザによる操作部の操作に基づき、コントローラ４５により、収納扉３２ｂを閉位置と遮蔽位置との間で移動させるようにしてもよい。つまり、操作部により遮蔽操作が行われると、収納扉３２ｂを遮蔽位置に移動させ、操作部により閉操作が行われると、収納扉３２ｂを閉位置に移動させるようにしてもよい。そうすれば、ユーザが洗面室１１を利用するにあたって、屋外からの視線を遮りたい場合は収納扉３２ｂを遮蔽位置に移動させ、採光性や通風性を高めたい場合は収納扉３２ｂを閉位置に移動させたりといったことが可能となる。
【００７３】
（４）上記実施形態では、収納扉制御システムにより、収納扉３２ｂと保持部３８とを自動で動作させる構成としたが、収納扉３２ｂと保持部３８とをユーザの手動操作により動作させるようにしてもよい。この場合、駆動部４３，４４等が不要となるため、構成の簡素化が図れる。
【００７４】
（５）上記実施形態では、収納棚３２が床部１１ａ上に設置された縦長の床置きタイプとされていたが、収納棚としては、例えば外壁部２５に取り付けられる壁付けタイプのものもある。そこで、かかる壁付けの収納棚の収納扉を用いて窓部２６全域を覆うようにしてもよい。
【００７５】
（６）上記実施形態では、保持部３８により収納扉３２ｂが遮蔽位置から閉側及び開側のいずれの側に動作することも規制したが、かかる保持部３８に代えて、収納扉３２ｂが遮蔽位置から閉側に動作することのみ規制する（すなわち開側への動作については許容する）規制部を設けてもよい。この場合にも、不審者等が窓部２６を通じて洗面室１１に侵入するのを防止できるため、屋外からの視線を遮りながら、防犯性の向上を図ることができる。
【００７６】
（７）外壁部２５には、洗面室１１から屋外へ出入り可能な掃き出し窓（窓部に相当）が設けられる場合がある。そこで、かかる場合に、その掃き出し窓に対して本発明の収納扉３２ｂを適用してもよい。
【００７７】
（８）上記実施形態では、収納扉３２ｂにより窓部２６全域を覆うようにしたが、窓部２６を通じた屋外からの視線を遮ることが可能であれば、必ずしも窓部２６全域を覆う必要はない。つまり、収納扉３２ｂにより窓部２６の一部のみ覆うようにしてもよい。その場合の具体例を図６に示す。図６の例では、窓部２６が上下方向に長い縦長形状とされている。また、収納棚３２の収納扉は上下に二分割されており、それにより収納扉として下側収納扉３２ｄ及び上側収納扉３２ｅが設けられている。下側収納扉３２ｄは、その上下寸法が上側収納扉３２ｅよりも大きくされ、その上端部が窓部２６の上端部よりも下方に位置している。
【００７８】
かかる構成では、下側収納扉３２ｄが開状態とされることで、詳しくは下側収納扉３２ｄが閉位置から９０°開側に回動されることで、下側収納扉３２ｄにより窓部２６が覆われた状態となる。この場合、詳しくは、下側収納扉３２ｄにより窓部２６の一部が覆われた状態となり、より詳しくは窓部２６における上側部分を除く大部分が覆われた状態となる。窓部２６において下側収納扉３２ｄにより覆われていない上側の一部分は屋外における人の視線高さよりも高い位置にある。そのため、かかる下側収納扉３２ｄによっても、窓部２６を通じた屋外からの視線を遮ることが可能となる。
【００７９】
なお、この場合、下側収納扉３２ｄが「収納扉」に相当し、その下側収納扉３２ｄが開状態において窓部２６を覆う位置（詳しくは、下側収納扉３２ｄが閉位置から９０°開側に回動された位置）が「遮蔽位置」に相当する。
【００８０】
また、図６の例では、下側収納扉３２ｄを遮蔽位置に移動させるにあたり、上記実施形態の収納扉制御システムが適用される。したがって、例えば洗面室１１に人がいる場合に、扉用駆動部４３により下側収納扉３２ｄが自動で遮蔽位置に移動される。また、具体的には、洗面室１１に人がいる場合であって、かつ、今現在が夜時間帯である場合に、下側収納扉３２ｄが遮蔽位置に移動される。さらに、洗面室１１に人がいる場合であって、かつ、今現在が朝時間帯である場合に、下側収納扉３２ｄが遮蔽位置に移動される。
【符号の説明】
【００８１】
１０…建物、１１…洗面室、２５…外壁部、２６…窓部、３２…収納部としての収納棚、３２ｂ…収納扉、３８…規制手段及び保持手段としての保持部、４１…姿見鏡、４３…扉駆動部としての扉用駆動部、４５…制御手段としてのコントローラ。
【図１】
2020012260.tif 000003
【図２】
2020012260.tif 000004
【図３】
2020012260.tif 000005
【図４】
2020012260.tif 000006
【図５】
2020012260.tif 000007
【図６】
2020012260.tif 000008